(57)【要約】      （修正有）【課題】使用者が口腔内の形状に応じた細部の形状の調整を容易に行うことができる美容用口腔内補てん具を提供する。【解決手段】上顎２および下顎３の歯列４，５と頬６との間に挿入して用いられる美容用口腔内補てん具１であって、可撓性を有する２枚のシートが重ねられた状態で周縁部同士が密着された袋体と、袋体に充填される流動性を有する充填剤と、袋体に配設され、袋体内への充填剤の流入を許容し、かつ袋体内に充填された充填剤の流出を阻止する逆止弁と、袋体の外面に設けられる吸盤と、を備えたことを特徴とする。【選択図】図４
2019188049.tif 000002
【特許請求の範囲】
【請求項１】
上顎および下顎の歯列と頬との間に挿入して用いられる美容用口腔内補てん具であって、
可撓性を有する２枚のシートが重ねられた状態で周縁部同士が密着された袋体と、
前記袋体に充填される流動性を有する充填剤と、
前記袋体に配設され、前記袋体内への充填剤の流入を許容し、かつ前記袋体内に充填された充填剤の流出を阻止する逆止弁と、
前記袋体の外面に設けられる吸盤と、を備えたことを特徴とする美容用口腔内補てん具。
【請求項２】
前記袋体内に収容される板状の芯材と、
前記袋体の内面と前記芯材とを繋ぐ繋ぎ手段と、をさらに備えていることを特徴とする請求項１に記載の美容用口腔内補てん具。
【請求項３】
前記繋ぎ手段は、両端部が前記芯材と前記袋体の内面とに各々固定された糸であることを特徴とする請求項２に記載の美容用口腔内補てん具。
【請求項４】
前記袋体は、前記歯列と前記頬との間に挿入された状態で、前記２枚のシートのうち、一方のシートが歯列と対向し、他方のシートが頬と対向しており、前記歯列と対向する一方のシートと前記頬と対向する他方のシートとは、ともに前記歯列側に凹状に湾曲しており、前記歯列と対向する一方のシートの曲率は、前記頬と対向する他方のシートの曲率よりも小さいことを特徴とする請求項２または３に記載の美容用口腔内補てん具。
【発明の詳細な説明】
【技術分野】
【０００１】
本発明は、上顎および下顎の歯列と頬との間に挿入して、頬を内側から押し出して、希望する容貌に容易に矯正することができる美容用口腔内補てん具に関する。
【背景技術】
【０００２】
従来から、美容整形手術を行なう場合の身体的な負担を患者にかけることなく、歯列あるいは歯肉と、頬との間に挿入することによって、頬を外側に押出して、頬の皺を目立たなくする美容用口腔内補てん具としてのマウスピースが知られている。このマウスピースでは、使用者の口腔内の形状に応じたマウスピースの細部の形状の調整をすることができないので、マウスピースを装着したときの装着感が良くないという課題がある。
【０００３】
このような課題を解決する従来技術として、特許文献１には、使用者の口腔内の形状に応じた、マウスピースの細部の形状の調整ができるマウスピースが記載されている。マウスピースは、右側頬肉と右側歯列との間に装着される第１部材、顎肉と前歯列との間に装着される第２部材および左側頬肉と左側歯列との間に装着される第３部材を有しており、第１部材、第２部材および第３部材は、たとえばアクリル樹脂から成る。
【０００４】
特許文献１には、第１の態様として、マウスピースを使用する使用者の歯型、頬の形、顔の形などに応じて、歯科医師が型取りした大きさおよび形状に、第１部材，第２部材および第３部材を成形して、マウスピースの細部の形状の調整をすることが記載されている。第１部材および第３部材は、たとえば、それぞれ上顎または下顎の右側、あるいは上顎または下顎の左側の臼歯に合致する程度の大きさに成形される。
【０００５】
第２の態様として、人の体温では軟化せず、人の体温よりも高い温度で軟化する材料で第１部材、第２部材および第３部材を構成し、湯に浸けながら第１部材、第２部材および第３部材の細部の形状の調整をすることが記載されている。
【先行技術文献】
【特許文献】
【０００６】
【特許文献１】特許第４８９７４８９号公報
【発明の概要】
【発明が解決しようとする課題】
【０００７】
特許文献１に記載の発明では、使用者は、マウスピースを装着する前に、使用者の歯型、頬の形、顔の形などに応じて歯科医師が型取りした大きさおよび形状に、第１部材、第２部材および第３部材を成形して、マウスピースの細部の形状の調整をし、あるいは、第１部材、第２部材および第３部材を湯に浸けながらマウスピースの細部の形状の調整をしなければならない。
【０００８】
使用者が、自分の口腔内の形状に応じた細部の形状の調整をすることなく、マウスピースを使用することができれば、使用者の手間を軽減することができ、そのような美容用口腔内補てん具が望まれている。
【０００９】
また、上顎歯列と下顎歯列との間に頬を挟んだ状態で、上顎歯列と下顎歯列とを噛み合せて、誤って頬を傷つけることがあり、このような誤って頬を傷つけることを防止することができる美容用口腔内補てん具が望まれている。
【００１０】
本発明の目的は、使用者が口腔内の形状に応じた細部の形状の調整を容易に行うことができる美容用口腔内補てん具を提供することである。
【課題を解決するための手段】
【００１１】
本発明は、上顎および下顎の歯列と頬との間に挿入して用いられる美容用口腔内補てん具であって、
可撓性を有する２枚のシートが重ねられた状態で周縁部同士が密着された袋体と、
前記袋体に充填される流動性を有する充填剤と、
前記袋体に配設され、前記袋体内への充填剤の流入を許容し、かつ前記袋体内に充填された充填剤の流出を阻止する逆止弁と、
前記袋体の外面に設けられる吸盤と、を備えたことを特徴とする美容用口腔内補てん具である。
【００１２】
また本発明は、前記袋体内に収容される板状の芯材と、前記袋体の内面と前記芯材とを繋ぐ繋ぎ手段と、をさらに備えていることを特徴とする。
【００１３】
また本発明は、前記繋ぎ手段は、両端部が前記芯材と前記袋体の内面とに各々固定された糸であることを特徴とする。
【００１４】
また本発明は、前記袋体は、前記歯列と前記頬との間に挿入された状態で、前記２枚のシートのうち、一方のシートが歯列と対向し、他方のシートが頬と対向しており、前記歯列と対向する一方のシートと前記頬と対向する他方のシートとは、ともに前記歯列に臨んで凹状に湾曲しており、前記歯列と対向する一方のシートの曲率は、前記頬と対向する他方のシートの曲率よりも小さいことを特徴とする。
【発明の効果】
【００１５】
本発明によれば、美容用口腔内補てん具は、可撓性を有するシートからなる袋体に、流動性を有する充填剤が充填されて構成されており、使用者の、上顎および下顎の歯列の形状、および頬の形状に沿って変形可能であり、逆止弁を備えているので、袋体に容易に充填剤を充填することができ、吸盤を備えているので、口腔内に固定することができるので、予め使用者の口腔内の形状に応じた細部の形状の調整を容易に行うことができ、直ちに上顎および下顎の歯列と頬との間に挿入して、容易に頬の皺を目立たなくすることができる。また、美容用口腔内補てん具は、上顎および下顎の歯列と頬との間に挿入されるので、上顎歯列と下顎歯列との間に口腔内の頬を挟んだ状態で、上顎歯列と下顎歯列とを噛み合せることが防止される。
【００１６】
また本発明によれば、繋ぎ手段によって、袋体の内面を芯材に繋いで、充填剤が充填された袋体を所望の形状とすることができる。
【００１７】
また本発明によれば、繋ぎ手段として糸を使用しており、芯材に対する自由度がある。
【００１８】
また本発明によれば、袋体の、歯列と対向する一方のシートを、歯列側に凹状に湾曲した形状とするので、一方のシートは、一方のシートの上端部が上顎の歯列の上部に接触し、一方のシートの下端部が下顎の歯列の下部に接触する。一方のシートの、上端部および下端部を除いた部分が、上顎および下顎の歯列に接触することを抑制することができる。たとえば、使用者がしゃべっているときに、下顎の歯列が袋体の一方のシートに接触して、使用者に不快感を与えることを抑制することができる。袋体の、頬と対向する他方のシートを、頬側に凸状に湾曲した形状すなわち歯列側に向かって凹状に湾曲した形状とするので、他方のシートの凸状部を確実に頬に当接させて、頬を外側に押し出すことができる。これによって、容易に頬の皺を目立たなくすることができる。
【図面の簡単な説明】
【００１９】
【図１】本発明の第１実施形態に係る、充填剤容器２７が接続された美容用口腔内補てん具１を示す正面図である。
【図２】美容用口腔内補てん具１を図１の右側から見た断面図である。
【図３】充填剤１４が充填された美容用口腔内補てん具１を図１の切断面線Ａ−Ａから見た拡大断面図である。
【図４】美容用口腔内補てん具１を装着した状態を示す図である。
【図５Ａ】注入パイプ２８が挿入されていない状態の逆止弁１５の断面図である。
【図５Ｂ】注入パイプ２８が挿入されている状態の逆止弁１５の断面図である。
【図６】図５の逆止弁１５を図５の矢視Ｚから見た平面図である。
【図７】吸盤１８の拡大断面図である。
【図８】第２実施形態に係る美容用口腔内補てん具４１の断面図である。
【図９】袋体４３と芯材４４とが繋ぎ手段４６によって繋がれた状態を示す拡大断面図である。
【図１０】袋体４３と芯材４４とが繋ぎ手段４６によって繋がれた状態を示す拡大断面図である。
【図１１Ａ】本発明の第３実施形態の袋体１３，４３の正面視の形状を示す模式図である。
【図１１Ｂ】本発明の第４実施形態の袋体１３，４３の正面視の形状を示す模式図である。
【図１１Ｃ】本発明の第５実施形態の袋体１３，４３の正面視の形状を示す模式図である。
【図１１Ｄ】本発明の第６実施形態の袋体１３，４３の正面視の形状を示す模式図である。
【図１１Ｅ】本発明の第７実施形態の袋体１３，４３の正面視の形状を示す模式図である。
【図１２Ａ】本発明の第８実施形態の袋体１３，４３の断面形状を示す模式図である。
【図１２Ｂ】本発明の第９実施形態の袋体１３，４３の断面形状を示す模式図である。
【図１２Ｃ】本発明の第１０実施形態の袋体１３，４３の断面形状を示す模式図である。
【発明を実施するための形態】
【００２０】
本発明の第１実施形態に係る美容用口腔内補てん具（以下、口腔内補てん具という）１を、図面を参照して説明する。図１は、本発明の第１実施形態に係る、充填剤容器２７が接続された口腔内補てん具１を示す正面図であり、図２は、口腔内補てん具１を図１の右側から見た断面図である。図３は、充填剤１４が充填された口腔内補てん具１を図１の切断面線Ａ−Ａから見た拡大断面図である。図４は、上顎２および下顎３の歯列４，５と頬６との間に、口腔内補てん具１を装着した状態を示す図である。
【００２１】
口腔内補てん具１は、上顎２および下顎３の歯列４，５と頬６との間に挿入して用いられる。口腔内補てん具１は、可撓性を有する２枚のシート１１，１２が重ねられた状態で周縁部１７同士が接合された袋体１３と、袋体１３に充填される流動性を有する充填剤１４と、袋体１３に配設され、袋体１３内への充填剤１４の流入を許容し、かつ袋体１３内に充填された充填剤１４の流出を阻止する逆止弁１５と、袋体１３のシート１１，１２の外面１６，１９に設けられる複数の吸盤１８と、を備える。
【００２２】
袋体１３を構成する、可撓性を有する２枚のシート１１，１２の材料として、シリコン樹脂を使用することが好ましい。シート１１，１２の材料として、ポリエチレン（ＰＥ）、ナイロン（ＰＡ）などを使用することもできる。シート１１，１２の厚さは、たとえば０．１ｍｍ以上３．０ｍｍ以下のものが好ましい。本件発明者は、５０歳以上６５歳未満の年齢層の使用者では、シート１１，１２として、０．１ｍｍ以上１．２ｍｍ以下の厚みのものが好まれており、３５歳以上５０歳未満の年齢層の使用者では、０．５ｍｍ以上３．０ｍｍ以下の厚みのものが好まれていることを確認した。使用した袋体１３の歯列４，５の前後方向に沿った長さＬ１は、たとえば５０ｍｍであり、歯列４，５の上下方向に沿った長さＬ２は、たとえば３５ｍｍである。袋体１３において、歯列４，５の奥側に位置する一端部３１は、概ね直線に沿って延びて構成されており、歯列４，５の前部側に位置する他端部３２は、唇交連９付近の形状に対応させて、上部および下部に形成された２つの凸状部分３３，３４と、各凸状部分３３，３４の間に形成された凹状部分３５とで構成されている。
【００２３】
袋体１３の２枚のシート１１，１２間に充填される充填剤１４は、充填剤１４が充填された袋体１３が使用者の上顎２および下顎３の歯列４，５、頬６の形状に応じて変形可能なものであり、人体に無害であれば、とくに制限はない。充填剤１４として、たとえば、ゲル状の粘性物、水などの液体、空気などの気体を使用することができる。
【００２４】
図５Ａは、充填剤容器２７に充填された充填剤１４を注入するための注入パイプ２８が、逆止弁１５を介して袋体１３に挿入されていない閉弁状態を示し、図５Ｂは、注入パイプ２８の先端部が逆止弁１５を介して袋体１３に挿入されて、充填剤１４が袋体１３に充填されている開弁状態を示す。図６は、図５Ａに示す逆止弁１５を矢視Ｚから見た平面図である。袋体１３には、袋体１３内への充填剤１４の流入を許容し、かつ袋体１３内に充填された充填剤１４の流出を阻止する逆止弁１５が配設される。
【００２５】
逆止弁１５は、たとえば２枚のシート１１，１２のうち歯列４，５と対向するシート１１の周縁部付近の前歯寄りの位置に配設される。逆止弁１５は、シート１１の外側からシート１１の内側へシート１１を斜めに貫通し、開口部２１がシート１１の内面２２に接着される案内チューブ２３と、一端部２４がシート１１の内面２２に接着され、一端部２４から案内チューブ２３の下流方向に延びて、案内チューブ２３の開口部２１を覆うシート状の弁体２５とを備える。
【００２６】
袋体１３内へ充填剤１４を充填する場合には、充填剤１４が充填された充填剤容器２７の注入パイプ２８が、案内チューブ２３に挿入される。案内チューブ２３に挿入された注入パイプ２８によって、弁体２５が押し上げられ、弁体２５が開いた状態で、注入パイプ２８の吐出口２６を袋体１３内に位置させることができる。この状態で、使用者が充填剤容器２７を圧縮するように締付けることによって、充填剤１４を充填剤容器２７から押し出し、注入パイプ２８から希望する量の充填剤１４を袋体１３内に充填することができる。袋体１３内へ充填剤１４が充填された後、注入パイプ２８が案内チューブ２３から抜き取られると、弁体２５は自己の弾性回復力によって、案内チューブ２３の開口を覆う位置まで復帰し、袋体１３内の充填剤１４の圧力によって案内チューブ２３の開口が閉じられる。
【００２７】
袋体１３は、袋体１３内に充填剤１４が充填されていない状態では、可撓性を有する２枚のシート１１，１２の周縁部１７同士が重ねられて溶着された簡単な構成であり、打抜き加工および加熱溶着加工などの周知技術によって、容易に製作可能である。充填剤１４は、袋体１３内に空間が形成されていない状態で、逆止弁１５を介して、２枚のシート１１，１２間に充填が開始されるので、袋体１３内に空気がほとんど存在せず、空気を外部に排出するための逃がし孔を設ける必要はない。充填剤１４は、このような簡単な構造の袋体１３に隙間なく充填される。
【００２８】
図７は、吸盤１８の拡大断面図である。袋体１３の外面１９に設けられた複数の吸盤１８のそれぞれは、球面の一部を成す窪みである。吸盤１８の開口部の直径Ｄは、たとえば０．５ｍｍ〜２．０ｍｍであり、吸盤１８の深さＥは、たとえば０．５ｍｍ〜２．０ｍｍである。
【００２９】
吸盤１８は、袋体１３を構成する２枚のシート１１，１２のうち、たとえば頬６と対向するシート１２の上部領域Ｘおよび下部領域Ｙに設けられる。使用者は、袋体１３に充填剤１４を充填した後、その袋体１３を手指で頬６側に押さえ付けることによって、吸盤１８が頬６を吸着する。袋体１３を構成するシート１１，１２は可撓性を有しており、口腔内補てん具１は、上顎２に対する下顎３の変位に応じて変形可能であるので、口８の開閉によって、口腔内補てん具１が頬６から剥がれ落ちることが防止される。
【００３０】
口腔内補てん具１は、可撓性を有する２枚のシート１１，１２で構成された袋体１３に、流動性を有する充填剤１４が充填されて形成されており、２枚のシート１１，１２のうち、一方のシート１１が上顎２および下顎３の歯列４，５と対向し、他方のシート１２が頬６と対向した状態で、上顎２および下顎３の歯列４，５と頬６との間に挿入される。たとえば、歯列４，５と対向する一方のシート１１と、頬６と対向する他方のシート１２とは、ともに歯列４，５側に凹状に湾曲しており、歯列４，５と対向する一方のシート１１の曲率は、頬６と対向する他方のシート１２の曲率よりも小さく形成される。使用者は、袋体１３に充填される充填剤１４の量を調整して、口腔内補てん具１の細部の形状の調整を容易に行うことができる。口腔内補てん具１は、使用者の、上顎２および下顎３の歯列４，５の形状、および頬６の形状に沿って変形可能であり、上顎２および下顎３の歯列４，５と頬６との間に挿入して、容易に頬６の皺を目立たなくすることができる。
【００３１】
使用者は、口腔内補てん具１を装着した後に、頬６を外側から押して、装着している口腔内補てん具１の形状の微調整を行なうこともできる。これによって、頬の所望の位置を確実に外側に押し出すことができる。
【００３２】
口腔内補てん具１は、上顎２および下顎３の歯列４，５の全体に対向して装着されず、歯列４，５の一部に対向して装着されるので、上顎２および下顎３の歯列４，５の全体に対向して装着されるもののように、装着していることをあまり意識せず装着することができる。使用者は、吸盤１８が吸着する吸着位置を変更して、口腔内補てん具１の装着位置を簡単に変更することができる。これによって、口腔内補てん具１によって外側に押し出す頬の位置を容易に変更することができる。
【００３３】
口腔内補てん具１は、上顎２および下顎３の歯列４，５と頬６との間に挿入されているので、上顎２の歯列４と下顎３の歯列５との間に頬６を挟んだ状態で、上顎２の歯列４と下顎３の歯列５とを噛み合せることはない。これによって、上顎２の歯列４と下顎３の歯列５との間に頬６を挟んだ状態で、上顎２の歯列４と下顎３の歯列５とを噛み合せた際に、誤って頬６を傷つけることを確実に防止することができる。
【００３４】
口腔内補てん具１は、上顎２および下顎３の歯列４，５の全体にわたって装着されておらず、口腔内補てん具１の装着位置は、吸盤１８が吸着する吸着位置を変更して、変更可能である。これによって、上顎２の歯列４と下顎３の歯列５との間に頬６を挟んだ状態で、上顎２の歯列４と下顎３の歯列５とを噛み合せることを防止したい頬６の位置に応じて、口腔内補てん具１の装着位置を変更することができる。
【００３５】
袋体１３は、可撓性を有する２枚のシート１１，１２の周縁部１７同士が密着されて重ねられ、袋体１３内に充填剤１４が充填されていない状態では薄板状であるので、形状の異なる複数の袋体１３を重ねて、充填剤容器２７とともにコンパクトに収容して持ち運ぶことができる。
【００３６】
第２実施形態に係る口腔内補てん具４１を、図面を参照して説明する。第１実施形態の説明と重複する部分については説明を省略し、同一の参照符を用いる。図８は、第２実施形態に係る充填剤１４が充填された口腔内補てん具４１の断面図である。
【００３７】
口腔内補てん具４１は、袋体４３内に収容される板状の芯材４４と、袋体４３の内面４５と芯材４４とを繋ぐ繋ぎ手段４６と、をさらに備えている。
【００３８】
芯材４４の素材として、たとえばアクリル樹脂が用いられる。アクリル樹脂としては、アクリレート系ポリマーまたはメタクリレート系ポリマーが挙げられる。アクリル樹脂は、透明な素材であり、無味、無臭、無毒で、日常の使用に耐え得る耐久性を有している。芯材４４は、歯列４，５と頬６との間に挿入された状態で、歯列４，５と対向する面４８と頬６と対向する面４９とは、ともに歯列４，５側に凹状に湾曲しており、歯列４，５と対向する面４８の曲率が、頬６と対向する面４９の曲率よりも小さくなるように形成されている。
【００３９】
図９は、袋体４３の上端部５７の内面４５と芯材４４とが繋ぎ手段４６によって繋がれた状態を示す拡大断面図である。図１０は、一方のシート５３の中間部の内面４５と芯材４４とが繋ぎ手段４６によって繋がれた状態を示す拡大断面図である。繋ぎ手段４６として、たとえば断面が円形である樹脂製の糸４６を用いることができる。樹脂製の糸４６として、たとえばアクリレート系ポリマーまたはメタクリレート系ポリマーなどのアクリル樹脂が用いられる。糸４６は、たとえば、両端部５０，５１が接着部として、袋体４３の内面４５と芯材４４とに接着される。繋ぎ手段４６として糸４６を使用することによって、繋ぎ手段４６に引張り力のみ作用させることができる。
【００４０】
袋体４３は、袋体４３内に充填剤１４が充填されていない状態では、可撓性を有する２枚のシート５３，５５の周縁部１７同士が密着された状態で、シート５３，５５が、芯材４４と繋ぎ手段４６とを隙間なく覆うように重ねられている。シート５３，５５が、芯材４４と繋ぎ手段４６とを隙間なく覆っていない状態で、たとえばゲル状の粘性物である充填剤１４を充填する場合には、袋体４３内と芯材４４との間に空気があり、該空気を排出するための逃がし孔が必要となるが、充填剤１４は、袋体４３内と芯材４４との間に空間が形成されていない状態で、２枚のシート５３，５５間に充填が開始されるので、袋体４３内に空気がほとんど存在せず、袋体４３内と芯材４４との間の空気を排出するための逃がし孔を設ける必要がない。このような簡単な構造の袋体４３に、隙間なく充填剤１４を充填することができる。また、充填剤１４を充填して袋体４３内の空気を排出するとき、空気とともに外部に充填剤１４が漏出してしまうことがなく、希望する厚みに応じた充填剤１４だけを充填すればよいので、結果的に必要な充填剤１４の使用量を低減することができる。このように、袋体４３に充填剤１４を充填する場合に、袋体４３の中に外気が混入することが抑制されるので、袋体４３の中で外気に含まれた雑菌が繁殖することを抑制することができる。
【００４１】
袋体４３は、たとえば、上顎２および下顎３の歯列４，５と頬６との間に挿入された状態で、２枚のシート５３，５５のうち、一方のシート５３が歯列４，５と対向し、他方のシート５５が頬６と対向しており、歯列４，５と対向する一方のシート５３と、頬６と対向する他方のシート５５とは、ともに歯列４，５側に凹状に湾曲しており、歯列４，５と対向する一方のシート５３の曲率は、頬６と対向する他方のシート５５の曲率よりも小さい。
【００４２】
袋体４３内に収容される芯材４４の形状を、充填剤１４が充填された袋体４３の形状と同様の形状とすることで、袋体４３の型崩れを効果的に防止することができる。さらに、芯材４４の外周に充填される充填剤１４の厚みを略同一とすることができ、充填剤容器２７の吐出口２６から袋体４３に流入した充填剤１４は、芯材４４の面４９に沿ってスムーズに流入し、袋体４３内に空隙を生じることなく、袋体４３内に確実に流し込まれる。
【００４３】
袋体４３の、歯列４，５と対向する一方のシート５３を、歯列４，５側に凹状に湾曲した形状とするので、一方のシート５３は、一方のシート５３の上端部５７が上顎２の歯列４の上部に接触し、一方のシート５３の下端部５８が下顎３の歯列５の下部に接触する。一方のシート５３の、上端部５７および下端部５８を除いた中間部分が、上顎２および下顎３の歯列４，５に接触することが抑制される。たとえば使用者が、しゃべっているときなどに、歯列４，５が袋体４３の一方のシート５３に接触して、使用者が不快感を抱くことを抑制することができる。
【００４４】
袋体４３の頬６と対向する他方のシート５５を、頬６側に凸状に湾曲した形状とするので、他方のシート５５の凸状部を確実に頬６に当接させて、頬６を外側に押し出すことができる。これによって、容易に頬６の皺を目立たなくすることができる。
【００４５】
このように、上顎２および下顎３の歯列４，５と頬６との間に挿入して用いられる口腔内補てん具１は、可撓性を有する２枚のシート１１，１２が重ねられた状態で周縁部同士が密着された袋体１３と、袋体１３に充填される流動性を有する充填剤１４と、袋体１３に配設され、袋体１３内への充填剤１４の流入を許容し、かつ袋体１３内に充填された充填剤１４の流出を阻止する逆止弁１５と、袋体１３の外面１９に設けられる吸盤１８と、を備えているので、使用者は、袋体１３に充填される充填剤１４を調整して、口腔内補てん具１の細部の形状の調整を容易に行って、直ちに上顎２および下顎３の歯列４，５と頬６との間に挿入できる。口腔内補てん具１は、使用者の、上顎２および下顎３の歯列４，５の形状、および頬６の形状に沿って変形可能であり、容易に頬６の皺を目立たなくすることができる。
【００４６】
また、口腔内補てん具１は、上顎２および下顎３の歯列４，５と頬６とが接触できないように、上顎２および下顎３の歯列４，５と頬６との間に挿入されるので、上顎２の歯列４と下顎３の歯列５との間に頬６を挟んだ状態で、上顎２の歯列４と下顎３の歯列５とを噛み合せることが防止される。
【００４７】
また、口腔内補てん具４１は、袋体４３内に収容される板状の芯材４４と、袋体４３の内面４５と芯材４４とを繋ぐ繋ぎ手段４６と、をさらに備えているので、繋ぎ手段４６によって、袋体４３の内面４５を芯材４４に繋いで、充填剤１４が充填された袋体４３を所望の形状とすることができる。
【００４８】
また、繋ぎ手段４６は、両端部が芯材４４と袋体４３の内面４５とに各々固定された糸４６であるので、繋ぎ手段４６として糸４６を使用することによって、繋ぎ手段４６の構成を簡単にすることができる。繋ぎ手段４６として糸４６を使用するので、充填剤１４を充填するときに、充填剤１４が受ける抵抗を抑制することができる。さらに、繋ぎ手段４６に引張り力のみ作用させることができるので、繋ぎ手段４６が破損することを抑制することができる。
【００４９】
また、袋体４３は、歯列４，５と頬６との間に挿入された状態で、２枚のシート５３，５５のうち、一方のシート５３が歯列４，５と対向し、他方のシート５５が頬６と対向しており、歯列４，５と対向する一方のシート５３と頬６と対向する他方のシート５５とは、ともに歯列４，５側に凹状に湾曲している。歯列４，５と対向する一方のシート５３の曲率は、頬６と対向する他方のシート５５の曲率よりも小さい。袋体４３の歯列４，５と対向する一方のシート５３を、歯列４，５側に凹状に湾曲した形状とするので、一方のシート５３は、一方のシート５３の上端部５７が上顎２の歯列４の上部に接触し、一方のシート５５の下端部５８が下顎３の歯列５の下部に接触する。一方のシート５３の上端部５７および下端部５８を除いた中間部分が、上顎２および下顎３の歯列４，５に接触することを抑制することができる。特に、使用者が、しゃべっているときに、歯列４，５が袋体４３の一方のシート５３に接触して、使用者が不快に感じることを抑制することができる。袋体４３の頬６と対向する他方のシート５５を、頬６側に凸状に湾曲した形状とするので、他方のシート５５の凸状部を確実に頬６に当接させて、頬６を外側に押し出して、容易に頬６の皺を目立たなくすることができる。
【００５０】
図１１Ａ〜図１１Ｅは、本発明の第３〜第７の実施形態の袋体１３，４３の正面視の形状を示す模式図である。図１１Ａに示す袋体１３，４３では、歯列４，５の奥側に位置する端面の上下方向の長さ（以後、「奥側端面長さ」という）Ｈ２が歯列４，５の手前側に位置する端面の上下方向の長さ（以後、「手前側端面長さ」という）Ｈ１よりも大きく形成されている。図１１Ｂに示す袋体１３，４３では、手前側端面長さＨ１と奥側端面長さＨ２とが略同じ大きさとされ、歯列４，５の前後方向の長さＷが、図１１Ａに示す袋体１３，４３よりも短く形成されている。図１１Ｃに示す袋体１３，４３では、手前側端面長さＨ１と奥側端面長さＨ２とが略同じ大きさに形成されている。図１１Ｄに示す袋体１３，４３では、手前側端面長さＨ１が奥側端面長さＨ２よりも大きく形成されている。図１１Ｅに示す袋体１３，４３では、歯列４，５の奥側に位置する端面５９が正面視で円弧状に形成されている。
【００５１】
図１２Ａ〜図１２Ｃは、本発明の第８〜第１０の実施形態の袋体１３，４３の、歯列４，５の前後方向と垂直な方向の切断面線で切断した断面形状を示す模式図である。図１２Ａに示す袋体１３，４３では、上端部５７と下端部５８とが概ね同様に先細状に形成されている。図１２Ｂに示す袋体１３，４３では、上端部５７が下端部５８よりも厚肉に形成されている。図１２Ｃに示す袋体１３，４３では、下端部５８が上端部５７よりも厚肉に形成されている。
【符号の説明】
【００５２】
１，４１  口腔内補てん具
２  上顎
３  下顎
４，５  歯列
６  頬
８  口
１１，１２  シート
１３，４３  袋体
１４  充填剤    
１５  逆止弁
１６，１９  外面
１７  周縁部
１８  吸盤
２１  開口部
２２  内面
２３  案内チューブ  
２４  一端部
２５  弁体
２６  吐出口
２７  充填剤容器
２８  注入パイプ
３１  一端部
３２  他端部
３３，３４  凸状部分
３５  凹状部分
４４  芯材
４５  内面
４６  糸（繋ぎ手段）
４８，４９  面
５０，５１  端部
５３，５５  シート
５７  上端部
５８  下端部
５９  端面
【図１】
2019188049.tif 000003
【図２】
2019188049.tif 000004
【図３】
2019188049.tif 000005
【図４】
2019188049.tif 000006
【図５Ａ】
2019188049.tif 000007
【図５Ｂ】
2019188049.tif 000008
【図６】
2019188049.tif 000009
【図７】
2019188049.tif 000010
【図８】
2019188049.tif 000011
【図９】
2019188049.tif 000012
【図１０】
2019188049.tif 000013
【図１１Ａ】
2019188049.tif 000014
【図１１Ｂ】
2019188049.tif 000015
【図１１Ｃ】
2019188049.tif 000016
【図１１Ｄ】
2019188049.tif 000017
【図１１Ｅ】
2019188049.tif 000018
【図１２Ａ】
2019188049.tif 000019
【図１２Ｂ】
2019188049.tif 000020
【図１２Ｃ】
2019188049.tif 000021
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
上顎および下顎の歯列と頬との間に挿入して用いられる美容用口腔内補てん具であって、
可撓性を有する２枚のシートが重ねられた状態で周縁部同士が密着された袋体と、
前記袋体に充填される流動性を有する充填剤と、
前記袋体に配設され、前記袋体内への充填剤の流入を許容し、かつ前記袋体内に充填された充填剤の流出を阻止する逆止弁と、
前記袋体の外面に設けられる吸盤と、を備え、
前記吸盤は、前記２枚のシートのうちの頬と対向するシートの、上顎側に位置する上部領域および下顎側に位置する下部領域に設けられることを特徴とする美容用口腔内補てん具。
【請求項２】
前記袋体内に収容される板状の芯材と、
前記袋体の内面と前記芯材とを繋ぐ繋ぎ手段と、をさらに備えていることを特徴とする請求項１に記載の美容用口腔内補てん具。
【請求項３】
前記繋ぎ手段は、両端部が前記芯材と前記袋体の内面とに各々固定された糸であることを特徴とする請求項２に記載の美容用口腔内補てん具。
【請求項４】
前記袋体は、前記歯列と前記頬との間に挿入された状態で、前記２枚のシートのうち、一方のシートが歯列と対向し、他方のシートが頬と対向しており、前記歯列と対向する一方のシートと前記頬と対向する他方のシートとは、ともに前記歯列側に凹状に湾曲しており、前記歯列と対向する一方のシートの曲率は、前記頬と対向する他方のシートの曲率よりも小さいことを特徴とする請求項２または３に記載の美容用口腔内補てん具。
【手続補正２】
【補正対象書類名】明細書
【補正対象項目名】００１１
【補正方法】変更
【補正の内容】
【００１１】
本発明は、上顎および下顎の歯列と頬との間に挿入して用いられる美容用口腔内補てん具であって、
可撓性を有する２枚のシートが重ねられた状態で周縁部同士が密着された袋体と、
前記袋体に充填される流動性を有する充填剤と、
前記袋体に配設され、前記袋体内への充填剤の流入を許容し、かつ前記袋体内に充填された充填剤の流出を阻止する逆止弁と、
前記袋体の外面に設けられる吸盤と、を備え、
前記吸盤は、前記２枚のシートのうちの頬と対向するシートの、上顎側に位置する上部領域および下顎側に位置する下部領域に設けられることを特徴とする美容用口腔内補てん具である。
【手続補正３】
【補正対象書類名】明細書
【補正対象項目名】００１５
【補正方法】変更
【補正の内容】
【００１５】
本発明によれば、美容用口腔内補てん具は、可撓性を有するシートからなる袋体に、流動性を有する充填剤が充填されて構成されており、使用者の、上顎および下顎の歯列の形状、および頬の形状に沿って変形可能であり、逆止弁を備えているので、袋体に容易に充填剤を充填することができ、吸盤を備えているので、口腔内に固定することができるので、予め使用者の口腔内の形状に応じた細部の形状の調整を容易に行うことができ、直ちに上顎および下顎の歯列と頬との間に挿入して、容易に頬の皺を目立たなくすることができる。また、美容用口腔内補てん具は、上顎および下顎の歯列と頬との間に挿入されるので、上顎歯列と下顎歯列との間に口腔内の頬を挟んだ状態で、上顎歯列と下顎歯列とを噛み合せることが防止される。吸盤は、頬と対向するシートの、上顎側に位置する上部領域および下顎側に位置する下部領域に設けられるので、美容用口腔内補てん具を口腔内に装着したとき、吸盤が頬に吸着し、美容用口腔内補てん具は、口の開閉によって、上顎に対する下顎の変位に応じて変形しても、美容用口腔内補てん具が頬から剥がれ落ちることを防止できる。